(57)【要約】【課題】回折光学素子のフレア発生による性能劣化を低減する。【解決手段】傾斜した光学面１１と壁面１２を交互に配設したブレーズド型の回折格子において、壁面１２に入射する入射光Ｌｂを、壁面１２による反射の後に光学面１１で吸収するための光吸収部１３を設ける。光学面１１の光吸収部１３は、撥油性を有するコーティング膜１０ａ上にレジストインキを塗布し、光学面１１と壁面１２の交点１２ａにインキ溜りを生じさせることで簡単に形成することができる。壁面１２に薄膜を設けたり、壁面１２を粗面化することにより反射防止を行う場合に比べて、低コストで効果的にフレア防止を行うことができる。【選択図】図１
2006162822.tif 000002
【特許請求の範囲】
【請求項１】
光回折を行う複数の光学面と、前記複数の光学面を互いに分離する複数の壁面とを備えた回折格子を有し、各光学面の所定の部位に、隣接する壁面によって散乱される入射光を吸収するための光吸収部が設けられていることを特徴とする回折光学素子。
【請求項２】
前記光吸収部が、各光学面の所定の部位に不透明な光吸収剤を被着させることによって形成されていることを特徴とする請求項１記載の回折光学素子。
【請求項３】
前記光吸収部が、各光学面の所定の部位を粗面化することによって形成されていることを特徴とする請求項１記載の回折光学素子。
【請求項４】
前記光吸収部が、光学面と壁面の交差部に配設されていることを特徴とする請求項１ないし３いずれか１項記載の回折光学素子。
【発明の詳細な説明】
【技術分野】
【０００１】
本発明は、撮像装置、観察装置、およびその他の光学装置の光学系に適用される回折光学素子に関するものである。
【背景技術】
【０００２】
撮像装置等の光学系に用いられる回折光学素子は、レンズ素子として利用する場合が多い。中でも、ブレーズド型回折格子を有する回折光学素子においては、加工上の問題や、光学系の配置上の制約から、レリーフパターンの壁面に平行に入射しない光線があり、この光線が壁面を通過してフレア光となって撮像面に達し、回折光学素子の光学性能を低下させる。
【０００３】
例えば図５の（ａ）に示すように、回折格子１１０の壁面１１２に対して入射光Ｌが平行である場合はそのほとんどが光学面１１１に入射するため光学性能に問題は生じないが、図５の（ｂ）に示すように、レリーフパターンを形成する型成形性を向上させるため壁面１１２が入射光Ｌの光軸に対して平行でない場合や、図５の（ｃ）に示すように、ブレーズド型回折格子に対して入射光Ｌが斜めに入射する場合は、壁面１１２に入射する光量が増大し、いずれの場合もフレア光となって回折格子の光学性能を低下させる。そこでこの問題点を解決するため種々の提案がなされている。
【０００４】
例えば、特許文献１には、非レンズ面の総面積と光学系に含まれる回折面の光軸に対して垂直な平面（壁面）への射影面との平均値との比を所定の値以下とし、非レンズ面のフレアを抑制した回折格子を有する光学系が提案されている。
【０００５】
また、特許文献２には、図６に示すように、回折格子１２０のエッヂ部（壁面）１２２に階段形状部１２３を設けた構成や、回折格子の光学部表面に使用波長より小さい微小凹凸構造を設ける等の提案がなされている。
【０００６】
さらに、特許文献３には、図７に示すように、回折格子１４０のエッヂ部（壁面）１４２に入射し、光学基材１３０に射出する光Ｌｂを遮光する遮光手段１４３を有する回折光学素子が提案され、また、特許文献４には、回折格子の縦面（壁面）にのみアッシングによる艶消し処理を施す方法が開示され、特許文献５には、異種材料からなる２つの光学部材の境界にレリーフパターンを有する光学材料の境界面に二酸化珪素、硫化亜鉛、酸化アルミニウムの一種からなる薄膜層を形成した回折光学素子が提案されている。
【特許文献１】特開２００１−３０５３２３号公報
【特許文献２】特開２００２−０７１９２５号公報
【特許文献３】特開２００２−０４８９０６号公報
【特許文献４】特開２００３−２４０９３１号公報
【特許文献５】特開２００１−３３７２１４号公報
【発明の開示】
【発明が解決しようとする課題】
【０００７】
しかしながら、上記従来の技術によれば、いずれも、フレアの抑制が不充分であったり、製造コストが上昇する等の未解決の課題があった。
【０００８】
特許文献１の提案では、撮影レンズを通して入射する散乱光を光軸に対して垂直な平面（壁面部）で遮断することがないためフレアの発生を完全に抑制できない。
【０００９】
また、特許文献２に開示された構成では、図６の回折格子１２０の光学面１２１と階段形状部１２３を有する壁面１２２の交差部１２２ａで僅かな入射光Ｌｂを遮断できないため、フレア発生の防止は完全ではない。なお、この提案では、レリーフパターンを成形する際の離型性の点で階段形状部の形状安定性に問題がある。
【００１０】
さらに、特許文献３の構成では、フレア因子を含んだ入出射光が、図７の破線で示す矢印の方向に光光路を辿った場合に、フレア光を抑制することができるのみである。また、傾斜壁面（エッヂ部）１４２の反射光には対応しているが、壁面が光軸と平行である場合には対応が難しく、また、遮光部の形成が容易ではなく、製造工程が複雑化すると予想される。
【００１１】
特許文献４の構成では、回折格子の縦面（壁面）への艶消し処理により縦面への入射光、縦面からの出射光が完全に遮断され、フレア光を完全に抑制可能である。しかしながらこの素子の製造は、アッシングによる艶消し処理工程が複雑でタクト時間が延び、製造コストが増大する問題があり、特許文献５の構成では、回折効率の波長依存特性を低減し、不要次数光によるフレア発生を防止することを目的とし、回折格子壁面においては薄膜層を安定して定着させるのが難しく、また、薄膜層を形成する工程で設備、管理スペースなどについてコストが上昇する。
【００１２】
本発明は、上記従来の技術の有する未解決の課題に鑑みてなされたものであり、簡単な構成でフレア光を効率的に減少させ、低コストで製造可能な品質性と生産性に優れた回折光学素子を提供することを目的とするものである。
【課題を解決するための手段】
【００１３】
上記の目的を達成するため、本発明の回折光学素子は、光回折を行う複数の光学面と、前記複数の光学面を互いに分離する複数の壁面とを備えた回折格子を有し、各光学面の所定の部位に、隣接する壁面によって散乱される入射光を吸収するための光吸収部が設けられていることを特徴とする。
【発明の効果】
【００１４】
回折格子の壁面で反射する光を光学面で吸収することでフレア発生を防ぐものであるため、フレア光による光学性能の低下を安価にしかも効果的に防ぐことができる。
【発明を実施するための最良の形態】
【００１５】
図１に示すように、回折格子１０の光学面１１および壁面１２にそれぞれ入射する入射光Ｌａ、Ｌｂのうちで、壁面１２に入射する入射光Ｌｂの反射光を、光学面１１の一部に設けられた光吸収部１３によって吸収させることで、フレア発生を低減する。
【００１６】
回折格子１０の光学面１１に設けられる光吸収部１３は、光学面１１と壁面１２との交点１２ａの近傍（交差部）に配設され、光学面１１の光回折作用に大きく影響しないように構成する。
【００１７】
例えば、ブレーズド型回折格子においては、回折格子の壁面によって反射されて散乱する光を、光学面上で遮断することで、極めて効果的にフレア光による光学性能の低下を防ぐことができる。
【００１８】
簡単な構成でフレア光を確実に吸収することができ、しかも、回折格子を形成する工程で光学面に光吸収部を付加することが容易であるため、高性能な回折光学素子を低コストで実現できる。
【実施例１】
【００１９】
図１は、実施例１による回折光学素子の一部分を示す部分模式断面図である。ベースとなる光学基材１上に樹脂製の回折格子（ブレーズド型回折格子）１０が配設され、その光学面１１および壁面１２はコーティング膜１０ａによって被覆され、光学面１１上には、光学面１１と壁面１２の交点１２ａに近接して光吸収部１３を構成する光吸収剤が被着されている。
【００２０】
入射光Ｌａ、Ｌｂのうちで光学面１１の入射光Ｌａは、レリーフパターン転写面である光学面１１により所望の角度で光学基材１側に射出光Ｌｅとして回折する。しかし、壁面１２の入射光Ｌｂは、壁面１２で反射屈折した後、光吸収部１３に向かうため、光学面１１上で吸収される。従って、光学基材１を透過することなく、撮像面等にフレア光となって到達しない。このようにして、フレア光による画質劣化等を防止できる。
【００２１】
図２は光学面１１と壁面１２の交点近傍に光吸収部１３を形成する方法を示す工程図である。まず、図２の（ａ）に示すように、樹脂材料である光硬化反応型のモノマーを使用し、光学基材１上に図示しないスタンパ型と光照射装置を用いてレリーフパターン転写面の光学面１１と壁面１２を有する回折格子１０をレプリカ成形する。回折格子１０の樹脂材料は、熱硬化型樹脂、あるいは光硬化・熱硬化併用型樹脂を用いる。
【００２２】
レリーフパターン転写面上の光学面１１と壁面１２には、フッ素基を含有したコーティング膜１０ａがスピンコートによって塗膜される。ここで用いるコーティング膜１０ａはフッ素系溶媒液中にフッ素を含有した有機コーティング材料を０.１〜０.５ｗｔ％に希釈して調製したものである。このコーティング膜１０ａを塗膜した光学面１１と壁面１２上に光吸収材料（不透明材料）を含浸した光吸収剤であるレジストインキをディッピングすると、コーティング膜１０ａの表面の極めて撥水性、撥油性の高いフッ素基反応によって、レジストインキはより多くが安定化面に定着しようとする。この安定化面は、レジストインキが最も集合し易い高低差の低い方の位置、すなわち光学面１１と壁面１２の交点１２ａの近傍を中心にレジストインキのインキ溜り１３ａとなって定着し、残りはレジストインキの表層１３ｂとなる。
【００２３】
この後、コロナ放電などのアッシング処理を行ない、厚さ２０〜３０ｎｍのレジストインキの表層１３ｂを活性化し、図２の（ｂ）に示すように、安定化面に定着したインキ溜り１３ａ以外のレジストインキを除去する。
【００２４】
安定化面に、所定量のレジストインキが図２の（ｃ）に示すようなインキ溜り１３ａとして滞留し、安定状態を確認した後、同図の（ｄ）に示すように、一定の温度プロファイルでキュア処理をして光吸収部１３を形成する。
【００２５】
なお、この光吸収部は、電子マスクやフォトリソグラフィー法などの手法を用いて酸化クロム、クロムメッキ膜などを形成してもよいが、高価な装置や複雑な工程の導入により高コスト化してしまう可能性がある。また、印刷や、蒸着などの方法を用いても、マスキングなど製造工程が複雑化する等の問題があるため、製造効率を向上させ、安定した品質の光学素子を提供するためには図２に示した方法が望ましい。
【実施例２】
【００２６】
図３は、実施例２による回折光学素子の一部分を示す部分模式断面図である。これは、実施例１の光学基材１を凸型球面光学基材として適用し、回折格子１０の上に、凹型球面光学基材である光学基材２０上の回折格子３０を積層したレリーフ型回折光学素子であり、回折格子１０、３０の光学面１１、３１にそれぞれ光吸収部１３、３３が設けられる。
【００２７】
入射光Ｌａは光学基材２０の表面より、所望の角度でレリーフパターン転写面の光学面３１に到達して回折する。光学面３１の間の回折した光は２つの回折格子３０、１０のエアギャップを通過して回折格子１０のレリーフパターン転写面の光学面１１に入射して回折し、光学基材１側に出射光Ｌｅとして射出する。しかし、入射光Ｌｂは光学基材２０を通過した後、回折格子３０の光学面３１の光吸収部３３に向かうためここで吸収され、光学面３１の間の壁面３２に達しない。従って、壁面反射によるフレア光の発生はなく、撮影画質の劣化等を招かない。
【００２８】
なお、光学基材１、回折格子１０、光学面１１、壁面１２、光吸収部１３については図１と同様であるから説明は省略する。
【００２９】
図４は、回折格子３０を製造する工程を示すもので、回折格子３０のレリーフパターンを転写成形するためのスタンパ型４０に対して、開口部４１ａから光吸収材料を含浸したレジストインキをスタンパ型上に塗布するためのスクリーンマスク４１を位置決めする。すなわち、このスクリーンマスク４１をスタンパ型４０の回折格子成形先端部４０ａにアライメントし、開口部４１ａからサイトップなどの有機離型膜４０ｂを塗布し、続いて光吸収材料を含浸したレジストインキをスタンパ型４０上に塗布して、直ちに所定の温度プロファイルでキュアする。このようにして、スタンパ型４０の回折格子成形先端部４０ａ上に光吸収剤３３ａが塗膜される。
【００３０】
このスタンパ型４０を用いてレリーフパターン転写面を有する回折格子３０を成形すると、壁面３２と交差して隣接する光学面３１に光吸収剤３３ａが転写される。ここで有機離型膜４０ｂをスタンパ型４０上に塗布しているため、光吸収剤３３ａのスタンパ型４０からの転写が容易であり、また、スクリーンマスク４１のアライメントには厳しい位置合わせ精度が要求されない。従って、製造工程が複雑化するおそれはない。
【００３１】
なお、実施例１と同様の製法を用いた方が適当な場合は適宜それを選択することが好ましい。
【実施例３】
【００３２】
本実施例は、実施例１のコーティング膜１０ａを設けることなく、光学面１１の光吸収部１３を形成する部位以外の面をカバーリングし、光吸収部１３に相当する部位にサンドブラスト加工による二次加工を施すものである。ブラスト処理による面粗さはＲｍａｘ０．８〜１．３μｍとしたが、光学素子の性能に合わせて適宜設定することが好ましく、この範囲に限定されるものではない。その他の点は実施例１と同様である。
【実施例４】
【００３３】
本実施例は、実施例１のコーティング膜１０ａを必要とせず、光吸収部１３を梨地転写面で形成する。転写型は、図４のスタンパ型４０と同様のスタンパ型の回折格子成形先端部に梨地面を処理加工した型を用い、実施例１と同様の樹脂材料でレプリカ成形し、転写面を得る。ここで得た梨地面はＲａで１〜３μｍ、外観は半艶面であるが、光学素子の性能に合わせて適宜設定することが好ましく、この範囲に限定されるものではない。その他の点は実施例１と同様である。
【図面の簡単な説明】
【００３４】
【図１】実施例１の構成を示す部分模式断面図である。
【図２】実施例１の製造方法を示す工程図である。
【図３】実施例２の構成を示す部分模式断面図である。
【図４】実施例２の製造工程を説明する図である。
【図５】回折格子の入射光と回折格子の関係を説明する図である。
【図６】一従来例を示す部分模式断面図である。
【図７】別の従来例を示す部分模式断面図である。
【符号の説明】
【００３５】
１、２０    光学基材
１０、３０    回折格子
１０ａ    コーティング膜
１１、３１    光学面
１２、３２    壁面
１３、３３    光吸収部
４０    スタンパ型
【図１】
2006162822.tif 000003
【図２】
2006162822.tif 000004
【図３】
2006162822.tif 000005
【図４】
2006162822.tif 000006
【図５】
2006162822.tif 000007
【図６】
2006162822.tif 000008
【図７】
2006162822.tif 000009